【手続補正書】
【提出日】平成19年3月29日(2007.3.29)
【手続補正１】
【補正対象書類名】特許請求の範囲
【補正対象項目名】全文
【補正方法】変更
【補正の内容】
【特許請求の範囲】
【請求項１】
梱包システムであって、
内部収納容積と複数の側壁とを有し、当該側壁が複数の突起部を有する、一方が開いた容器と、
上面、リムおよび外周を有し、当該リムが前記容器を覆い、前記内部収納容積を周囲雰囲気からシールするように形成され、かつ前記上面には、前記突起部に対応するように複数の突起積み重ね支持構造が形成され、他の同一のシステムと垂直に積み上げられたときに、前記複数の突起積み重ね支持構造が、積み上げられたシステム間に空隙を作るようにされた蓋と、
少なくとも前記蓋と前記容器の一方に配置され、前記内部収納容積と前記周囲雰囲気とを連通する、少なくとも一つのガス透過性膜と、
を具備する梱包システム。
【請求項２】
前記蓋が透明な上面を含むことを特徴とする請求項１に記載の梱包システム。
【請求項３】
前記容器は、ファイバーボード構造の段ボールカートンであることを特徴とする請求項１に記載の梱包システム。
【請求項４】
前記複数の突起積み重ね支持構造の各々は、前記内部収納容積に隣接する内部中空空間をさらに含み、各内部中空空間の各々は、前記内部収納容積内に存在する一つ以上のガスの膨張を許容するためのヘッドスペースを提供することを特徴とする請求項１に記載の梱包システム。
【請求項５】
前記空隙は、冷却換気が横方向か縦方向の少なくとも一方に流入するのを許容することを特徴とする請求項１に記載の梱包システム。
【請求項６】
カバーガスを前記内部収納容積に充満させるための開口をさらに備えることを特徴とする請求項１に記載の梱包システム。
【請求項７】
前記蓋を前記容器にシールするシール部材をさらに備えたことを特徴とする請求項１に記載の梱包システム。
【請求項８】
前記容器と前記蓋の少なくとも一方が開口を有することを特徴とする請求項１に記載の梱包システム。
【請求項９】
少なくとも一つの粘着性パッチをさらに備え、前記少なくとも一つのガス透過性膜は、前記少なくとも一つの粘着性パッチに配置され、当該少なくとも一つの粘着性パッチは、前記開口を完全に覆うように形成されたことを特徴とする請求項８に記載の梱包システム。
【請求項１０】
前記蓋は、くもり防止処理がなされていることを特徴とする請求項１に記載の梱包システム。
【請求項１１】
前記容器は、気密なライナをさらに含むことを特徴とする請求項１に記載の梱包システム。
【請求項１２】
前記容器は外部表面を有し、前記リムは前記蓋の外周を取り囲み、前記リムは前記容器の前記外部表面に沿って延びることを特徴とする請求項１に記載の梱包システム。
【請求項１３】
梱包器であって、
内部収納容積を有する、一方が開いた容器と、
前記容器を取り囲むように形成され、前記内部収納容積を周囲雰囲気からシールする蓋と、
前記内部収納容積と前記周囲雰囲気とを連通する少なくとも一つのガス透過性膜と、を備えたことを特徴とする梱包器。
【請求項１４】
前記少なくとも一つのガス透過性膜は、前記蓋と前記容器の少なくとも一方に配置されたことを特徴とする請求項１３に記載の梱包器。
【請求項１５】
前記蓋と前記容器の少なくとも一方は、開口を有することを特徴とする請求項１３に記載の梱包器。
【請求項１６】
パッチをさらに備え、前記少なくとも一つのガス透過性膜は前記パッチに組み込まれ、前記パッチは前記開口を完全に覆うように形成されたことを特徴とする請求項１５に記載の梱包器。
【請求項１７】
前記容器は、ファイバーボード構造の段ボールカートンであることを特徴とする請求項１３に記載の梱包器。
【請求項１８】
前記容器は、複数の側壁と、前記側壁の各々に形成された複数の突起部と、前記複数の突起部の少なくとも一つに形成された溝とを備えることを特徴とする請求項１３に記載の梱包器。
【請求項１９】
前記蓋は、透明な上面と、前記上面に配置された複数の突起積み重ね支持構造とを備えることを特徴とする請求項１３に記載の梱包器。
【請求項２０】
前記複数の突起積み重ね支持構造の各々は、前記内部収納容積に隣接する内部中空空間をさらに含み、各内部中空空間の各々は、前記内部収納容積内に存在するガスの膨張を許容するためのヘッドスペースを提供することを特徴とする請求項１９に記載の梱包器。
【請求項２１】
前記複数の突起積み重ね支持構造は、梱包器が他の同一の梱包器と垂直に積み上げられたときに、当該突起積み重ね支持構造が積み上げられた梱包器間に冷却換気が縦方向および横方向の少なくとも一方に流れるのを許容する空隙ができるように形成されたことを特徴とする請求項１９に記載の梱包器。
【請求項２２】
シール部材をさらに備え、
当該シール部材は、前記蓋を前記容器にシールすることを特徴とする請求項１３に記載の梱包器。
【請求項２３】
前記容器は外部表面を有し、
前記リムは前記蓋の外周を取り囲み、
前記リムは前記容器の前記外部表面に沿って延びることを特徴とする請求項１３に記載の梱包器。
【請求項２４】
前記蓋は、くもり防止処理がなされていることを特徴とする請求項１３に記載の梱包器。
【請求項２５】
前記容器は、正方形および長方形の少なくとも一方の形状を有するように形成されたことを特徴とする請求項１３に記載の梱包器。
【請求項２６】
前記容器は、気密なライナをさらに含むことを特徴とする請求項１３に記載の梱包システム。
【請求項２７】
修正雰囲気梱包システムの蓋であって、
外周を有する上面と、
前記上面に前記外周において取り付けられた複数の側壁と、
前記上面に配置された突起積み重ね支持構造と、
を備えたことを特徴とする蓋。
【請求項２８】
前記蓋は、容器とシールされるように嵌め合わされることを特徴とする請求項２７に記載の蓋。
【請求項２９】
前記蓋は透明であることを特徴とする請求項２７に記載の蓋。
【請求項３０】
前記蓋は、くもり防止処理がなされていることを特徴とする請求項２７に記載の蓋。
【請求項３１】
前記蓋に少なくとも一つのガス透過性膜が配置されたことを特徴とする請求項２７に記載の蓋。
【請求項３２】
前記上面と前記複数の側壁の少なくとも一つに開口を有することを特徴とする請求項２７に記載の蓋。
【請求項３３】
前記蓋に取り付けられたガス透過性パッチを含み、当該ガス透過性パッチは、前記開口を完全に覆うことを特徴とする請求項３２に記載の蓋。
【請求項３４】
前記突起積み重ね支持構造は、溝を有することを特徴とする請求項２７に記載の蓋。
【請求項３５】
前記突起積み重ね支持構造は、長方形の形状をなすことを特徴とする請求項２７に記載の蓋。
【請求項３６】
前記突起積み重ね支持構造は、内部中空空間を含み、当該内部中空空間は、修正雰囲気梱包システム内にあるガスの膨張を許容するためのヘッドスペースを提供することを特徴とする請求項２７に記載の蓋。
【請求項３７】
カバーガスを前記内部収納容積に充満させるための開口をさらに備えることを特徴とする請求項２７に記載の蓋。
【請求項３８】
修正雰囲気梱包容器のカバーであって、
少なくとも一部が透明である、外周を有する上面と、
前記外周において前記上面に取り付けられた複数の側壁と、
前記上面および前記複数の側壁の少なくとも一つに配置された少なくとも一つのガス透過性膜と、を備えたことを特徴とするカバー。
【請求項３９】
前記上面および前記複数の側壁が透明であることを特徴とする請求項３８に記載のカバー。
【請求項４０】
前記複数の側壁は、前記上面と一体であることを特徴とする請求項３８に記載のカバー。
【請求項４１】
シール部材をさらに備え、当該シール部材が前記カバーを前記修正雰囲気梱包容器にシールすることを特徴とする請求項３８に記載のカバー。
【請求項４２】
前記上面および前記複数の側壁の少なくとも一つは、開口を有することを特徴とする請求項３８に記載のカバー。
【請求項４３】
パッチをさらに備え、前記少なくとも一つのガス透過性膜は前記パッチに配置され、前記パッチは前記開口を完全に覆うように形成されたことを特徴とする請求項４２に記載のカバー。
【請求項４４】
前記上面は、突起積み重ね支持構造をさらに備えることを特徴とする請求項３８に記載のカバー。
【請求項４５】
前記突起積み重ね支持構造は、溝を有することを特徴とする請求項４４に記載のカバー。
【請求項４６】
前記突起積み重ね支持構造は、修正雰囲気梱包容器の内部収納容積に隣接した内部中空空間を有し、前記内部中空空間は、前記修正雰囲気梱包容器内のガスの膨張を許容するヘッドスペースを提供することを特徴とする請求項４４に記載のカバー。
【請求項４７】
カバーガスを前記修正雰囲気梱包容器に充満させるための開口をさらに備えることを特徴とする請求項３８に記載のカバー。